(57)【要約】【課題】            本発明は、エスカレータ等移動搬送装置設置の際の、側面板の装着における現場作業を出来るだけ減らし、あるいは容易にすること、さらには溶接による他の部分への影響をなくすことを課題とする。【解決手段】        エスカレータ等移動搬送装置設置時の側面板取り付けの際、バネ付き蝶番の一方の面をコの字形断面形状として、側面板端部の折り返し部に形成した切り欠き部に嵌め込み、隣の側面板を設置することによりバネ付き蝶番の他方の面が側面板の嵌め込み部から離れ、トラスに接し、側面板とトラスとの間に圧勢力が生ずるように側面板の端部に係合できるようにした蝶番。【選択図】          図１
2005335839.tif 000002
【特許請求の範囲】
【請求項１】
移動搬送装置の側面板を固定する側面板固定部材であって、
移動搬送装置の側面板とトラスとの間に配置し、弾性力により側面板を移動搬送装置外側に圧勢して支持することを特徴とする側面板固定部材。
【請求項２】
側面板固定部材がバネ付き蝶番であることを特徴とする請求項１に記載の側面板固定部材。
【請求項３】
請求項１又は２に記載の側面板固定部材を設置した側面板。
【請求項４】
請求項１又は２に記載の側面板固定部材を設置したトラス。
【請求項５】
移動搬送装置の側面板取り付けの際、先に取り付けた側面板に隣の側面板を取り付けることにより、側面板固定部材が弾性力により先に取り付けた側面板を外側に圧勢して支持することを特徴とする請求項３に記載の側面板。
【請求項６】
側面板取り付けの際、一方の面がコの字形断面形状であるバネ付き蝶番を、側面板端部の折り返し部に形成した切り欠き部に、コの字形断面形状の面が側面板に接するように嵌め込み、隣の側面板を設置することにより該バネ付き蝶番の他方の面が押し出されて、側面板の嵌め込み部から離れて該バネ付き蝶番の弾性力によりトラスに接し、側面板とトラスとの間に圧勢力が生ずるよう、該バネ付き蝶番を側面板の端部に係合したことを特徴とする請求項３又は５に記載の側面板。
【発明の詳細な説明】
【技術分野】
【０００１】
本発明は移動搬送装置側面板固定部材並びに側面板およびトラスに関し、詳しくは、エスカレータ、移動歩道等の移動搬送装置の外装体である側面板を取り付ける際に、側面板を移動搬送装置に固定する固定部材および固定部材付き側面板または固定部材付きトラスに関する。なお、本発明における移動搬送装置には、通常斜面の傾斜角が３０度程度であるエスカレータの例を挙げたが、これに限られず、トラボレータ（商品名）、トラベータ（商品名）、およびコンペバイヤ（商品名）等と称されている装置等、水平に移動・搬送する移動歩道、動く歩道等も含まれる。
【背景技術】
【０００２】
通常、エスカレータ等の移動搬送装置は、ステップおよびライザーを有し、前記ステップおよびライザーが無限軌道上を循環移動するように形成され、これで人あるいは物を搬送する。この循環移動するステップおよびライザーはトラスによって支えられている。トラスはエスカレータ全体を支える支柱および梁の役目を負っている構造体で、エスカレータの骨格部分である。通常、トラスは搬送部の進行方向から見て左右に並行に配置された２本の上部ビームと、それぞれの上部ビームの下に配置され、したがって搬送部の進行方向から見て搬送部の下部左右に配置された２本の下部ビームとからなっている。図２および図３に示すように、左右両側には、それぞれ上下２本のビームの外側にトラスおよび搬送部の下部側面を覆うために上部ビーム３ａおよび下部ビーム３ｂの軸線に沿うように、複数の側面板１が連続して取り付けられている。側面板の数は、エスカレータ１台あたり５０枚程度になることが多い。同様に、左右一対の下部ビーム３ｂの下側には、トラスおよび搬送部の底面部を覆うために２本の下部ビーム３ｂの軸線に沿うように、複数の底面板２が取り付けられている。この装着された左右の側面板と底面板とを併せてエスカレータ用外装体と称する。さらに、ステップおよびライザーの両側にはスカートガード４があり、スカートガード４と側面板１との間隙を覆うようにデッキ５が付いている。デッキ５の上には通常透明強化ガラス製やステンレス板製の内側板６があり、その上には移動手すり７が付いている。なお、デッキ５のうち内側板の外側部分をアウターデッキ、内側部分をインナーデッキと呼ぶことがある。
【０００３】
このエスカレータ用外装体を構成する外装板は、図４又は図５に示すような方法でエスカレータ本体に固定されている。図４のｂ図は側面板１の下部および底面板２を下部ビーム３ｂに固定されている図である。コの字型固定部材３１は、下部ビーム３ｂへの取り付け部材３３およびボルト３４を介して下部ビーム３ｂに固定されている。コの字型固定部材３１は側面板取り付け部材３２を介してボルト３５により側面板と結合されている。また、コの字形固定部材３１は下部で底面板取り付け部材３６を介してボルト３７により底面板２と結合されている。それぞれの固定用ボルトのボルト穴はルーズ穴になっており、ビーム３ｂと側面板１または底面板２との相対位置の微調整が可能になっている。
【０００４】
従来は、側面板１の上部の固定方法も原理的には側面板下部の固定方法と類似している。図４のａ図は側面板１の上部をデッキ５に固定している図である。側面板１の上端にはデッキ５が覆い被さるように設置されており、デッキ５の側面板１と接する端部は断面がＬ字型になって側面板１に被さっており、側面板１がデッキ５端部より外側に倒れないようになっている。そして、デッキ５には側面板固定部材２１が取り付けられており、側面板固定部材２１の側面板に面する位置に取り付けた蝶ネジ２３を調整することによって側面板１が内側へ倒れないように支持される。このようにして、蝶ネジ２３とデッキ５のL字形端部１３とによって側面板１の上部はデッキ５に固定されている。なお、デッキ５は別途トラスに固定されているので、デッキ５に固定された側面板１はトラスすなわちエスカレータ本体に固定されていることになる（特許文献１）。
【０００５】
図５は他の側面板上部の固定方法を示している。図５では側面板１とデッキ５の構造は上記と同じであるが、側面板１に側面板取り付け部材２２を設置しておき、この側面板取り付け部材２２とビーム３ａとを棒状または板状等の側面板固定部材２５により側面板を直接トラスに固定するものである。なお、側面板固定部材２５は側面板取り付け部材２２とビーム３ａとに溶接により固定されている。
【０００６】
このような方法によって側面板はトラスすなわちエスカレータ本体に固定されているが、側面板とトラスとの間隙およびデッキとトラスとの間隙は、それぞれ2５ｍｍ程度しかなく、側面板取り付け現場の作業は容易ではなかった。ひとつのエスカレータで側面板は、左右両側面合計で５０枚程度取り付けるのでエスカレータの設置時には大きな問題となっていた。特に溶接作業を伴う場合には、溶接の火の粉が手すり用のゴムや潤滑油等を損傷したり、溶接屑がステップ等の移動部分に落ちエスカレータの動作不良を発生しないよう細心の注意が必要とされていた。また、このような側面板取り付け方法は側面板固定用の部品数が多く、その点でも合理化が望まれていた。
【０００７】
【特許文献１】特開平１１−２３６１８２号公報
【発明の開示】
【発明が解決しようとする課題】
【０００８】
本発明は、エスカレータ設置の際の、側面板の装着における現場作業を出来るだけ減らし、あるいは容易にすること、溶接による他の部分への影響や事故を防止し、さらに側面板取り付け作業および側面板等製作作業を合理化することを目的としている。
【課題を解決するための手段】
【０００９】
本発明の、上記課題を解決するための第一の手段は、移動搬送装置の側面板を固定する側面板固定部材であって、移動搬送装置の側面板とトラスとの間に配置し、弾性力により側面板を外側に圧勢することを特徴とする側面板固定部材である。
好ましい手段としては、バネ付き蝶番により側面板を圧勢することを特徴とする前記側面板固定部材である。
【００１０】
第二の手段は、前記第一の手段に記載の側面板固定部材を設置した側面板である。
第三の手段は前記第一の手段に記載の側面板固定部材を設置したトラスである。
第四の手段は、移動搬送装置の側面板取り付けの際、先に取り付けた側面板に隣の側面板を取り付けることにより、側面板固定部材が弾性力により先に取り付けた側面板を外側に圧勢して支持することを特徴とする第二の手段に記載の側面板である。
【００１１】
第五の手段は、側面板取り付けの際、一方の面がコの字形断面形状であるバネ付き蝶番を、側面板端部の折り返し部に形成した切り欠き部に、コの字形断面形状の面が側面板に接するように嵌め込み、隣の側面板を設置することにより該バネ付き蝶番の他方の面が押し出されて、側面板の嵌め込み部から離れて該バネ付き蝶番の弾性力によりトラスに接し、側面板とトラスとの間に圧勢力が生ずるよう、該バネ付き蝶番を側面板の端部に係合したことを特徴とする前記第二または第四の手段に記載の側面板である。
【発明の効果】
【００１２】
本発明の移動搬送装置の側面板固定部材は、移動搬送装置設置の際の、側面板取り付け作業を簡素化し、側面板取り付け時間を低減している。また、溶接作業による火災や部品損傷などの事故をも低減している。さらに、側面板固定用部品数の削減を図って工場での側面板等の製作を合理化している。
【発明を実施するための最良の形態】
【００１３】
本発明に係る移動搬送装置には、エスカレータ、トラボレータ（商品名）、トラベータ（商品名）、およびコンペバイヤ（商品名）、移動歩道、動く歩道等色々の呼び名の装置があるが、説明の都合上、代表例としてエスカレータをあげて記述する。しかし、本発明に係る移動搬送装置は、エスカレータ以外の移動搬送装置を除外するものではなく、勿論その他の移動搬送装置もすべて含んでいる。
【００１４】
本発明の側面板固定部材としては、図１に示すようなバネ付き蝶番にコの字形の部材を接合し、蝶番の一方の面をコの字形断面とした形態がある。本発明の側面板固定部材は、図６に示すようにエスカレータのトラスと側面板の間に設置されて機能を果たす。すなわち、側面板１はその上部をデッキ５の端部１３とバネ付き蝶番８の圧勢力によりトラス３に固定する。具体的には、エスカレータ設置工事の際、側面板１の下部をトラスの下部ビームに取り付けた後、トラスの上部ビーム３と側面板１の間に側面板固定部材すなわち前記バネ付き蝶番８をバネ９の圧勢力が作用するように挟み込んで使用すればよい。
【００１５】
このような側面板固定部材は、バネ付き蝶番８に限らずトラスと側面板との間に設置され、弾性力により側面板を外側に圧勢する部材ならばよい。例えば、蝶番の構造を応用したものとしては図１１に示すような形態がある。図１１のｃ，ｄ，ｅ，ｆ，ｇは各種のバネ付き蝶番の断面図である。ｃは市販のバネ付き蝶番と同じ形状であり、点線部分はばねの圧勢力により開いた状態を表している。ｄ〜ｇは蝶番の片方の面が他方の面より短いバネ付き蝶番である。図１１では上面が下面より短くなっている。後に説明するが、上面が下面より短いバネ付き蝶番は側面板の構造と組み合わせて好適な取り付け作業効率が得られる仕組みとできる。これらｅ〜ｇの蝶番は、それぞれ片方の面の断面構造が通常の平板面の断面構造の蝶番とは異なっている。ｅはＬ字形、ｆは前述したと同様のコの字形、ｇもコの字形である。トラスと側面板の間に設置でき、圧勢力を生ずる構造であればこの他どのような形の蝶番でも本発明の側面板固定部材とすることが出来る。
【００１６】
さらに、これらの蝶番はエスカレータ設置現場での側面板取り付け前に、例えば工場でトラス又は側面板のどちらか一方に設置しておいてもよい。トラスに設置してあれば本発明の側面板固定部材を設置したトラスであり、側面板に設置してあれば本発明の側面板固定部材を設置した側面板である。側面板またはトラスへの設置は、溶接、接着剤による接着、ネジ止め、その他の係合部材による係合等どのような方法でも構わない。また、側面板に側面板固定部材を設置する場合の、側面板固定部材の位置は側面板をエスカレータに取り付けた際にトラスに面する位置である。トラスに設置する場合も、同様にトラスの側面板に面する位置に設置する。
【００１７】
本発明の側面板固定部材は蝶番形に限られることはない。側面板固定部材は、弾性力を有しトラスと側面板の間に圧勢力を生じ、側面板を外側に押し付けることにより固定できる構造であればよい。図１２にその例を示した。図１２において、ｈ〜ｏは概念図であり、上部がトラス下部が側面板で、その間に側面板固定部材があり、側面板を外側に押し付けている状態を表している。ｈはＺ字形のバネの断面を表している。ｉはＣ字形のバネの断面を表している。ｊはＩ字形のバネの断面を表している。ｋは断面図ではないがスプリングを表している。ｌは球又はリングあるいは円柱の断面を表している。ｍはＶ字形のバネの断面を表している。ｎはＵ字形のバネの断面を表している。なお、上記の側面板固定部材の材質は鋼、プラスチック等でもよいが、弾性力を有しこれにより圧勢力を発揮できる材質であれば特にこだわる必要はない。ｏは側面板固定部材がゴムである例である。３層になっているがすべてゴムでもよいし、このうち１層または２層がゴムとなっていてもよい。さらに、これらの側面板固定部材は事前にトラス又は側面板のどちらか一方に溶接等により結合しておいてもよい。トラスに設置してあれば側面板固定部材を設置したトラスであり、側面板に設置してあれば側面板固定部材を設置した側面板である。
【００１８】
側面板固定部材を設置した側面板の好適な形態について図７〜９および図１０を参照しながら説明する。図１０は、側面板取り付け時の側面板上部の斜視図である。説明の都合上、すぐ上部にあるデッキやＬ−Ｌ線の右側にあるトラスの上部ビームなどは省略してある。図１０において側面板１ａはすでに取り付けられた側面板である。ただし、図示されている部分である側面板の上部はまだ固定されていない。側面板１ｂはこれに隣接する側面板で図では右上方向から側面板１ａに接続される直前の状態である。
【００１９】
側面板１ａの右側端部はコの字形に折り込んであり、その折り込んだ側には断面がＺ字形の隣接側面板受け部材１６が側面板１ａのコの字形折り込み部を覆うように設置されている。このＺ字形の隣接側面板受け部材１６の、立上り部１７および隣接側面板受け部１８の、上部ビームに面する位置には、切り欠き部１９が形成されている。この切り欠き部１９は上述したバネ付き蝶番である本発明の側面板固定部材が挿入できる大きさである。
【００２０】
図７は図１０のＬ−Ｌ線に添った断面図であり、図８は図７の状態の切り欠き部１９にバネ付き蝶番８を挿入した状態の断面図である。バネ付き蝶番８の平板面１０ａの先端部は、側面板１ａのコの字形端部１４と隣接側面板受け部材１６の隣接側面板受け部１８との間に挿入されている。また，バネ付き蝶番８のコの字形面１０ｂの先端部は、側面板１ａのコの字形端部１４のコの字部の内側に挿入されている。なお、このバネ付き蝶番８は、取り付けてあるバネ９の圧勢力により側面板１ａに係止された状態である。
【００２１】
図９は、図８の状態から側面板１ｂを側面板１ａ側に移動させ、側面板１ｂと側面板１ａとを接続した状態である。側面板１ａと側面板１ｂを接続するとき、側面板１ｂの左側のＺ字形端部１５を、側面板１ａのコの字形端部１４と隣接側面板受け部材１６の隣接側面板受け部１８との間隙に挿入する。この間隙の幅は側面板１ｂの厚さとほぼ等しく、側面板１ｂのＺ字形端部１５の挿入により、Ｚ字形端部１５がバネ付き蝶番８を側面板１ａの左側に押し出すことになる。そして、バネ付き蝶番８の平板面１０ａの先端部が隣接側面板受け部材１６の隣接側面板受け部１８の切り欠き部１９に達したとき、バネ付き蝶番８に設置したバネ９の圧勢力によりバネ付き蝶番８の平板面１０ａの先端部はトラスの上部ビーム側に押し出され上部ビーム３ａに接する。これにより、側面板１ａはバネ付き蝶番８の圧勢力によってエスカレータ外側に押し付けられることになる。また、図示していないが側面板の上部にはデッキがあり、このデッキのＬ字形端部が側面板の外側に被さっている。このようにして側面板は固定される。すなわち図６を用いて説明したと同様に側面板１ａの上部をエスカレータのトラスすなわち本体に固定できる。
【００２２】
ここでは図８、図９に示すように蝶番は図１に示したコの字形のバネ付き蝶番を用いて説明したが、他の蝶番やバネでもよい。例えば図１１で例示したｃ〜ｇのすべての蝶番、あるいは図１２のｉ，ｍのバネは好適に上述の機能を果たす。図１１の蝶番ｄ〜ｇは上面が下面より短くなっているが、これは図９においてバネ付き蝶番８の中心部１１が上部ビーム３ａ側に移動し、バネ付き蝶番８の係止が不安定になるのを防いでいる。なお、側面板１ｂの左端のＺ字形端部１５の長さが、隣接側面板受け部材１６の隣接側面板受け部１８と側面板１ａのコの字形端部１４との間隙の奥行きより短い場合にもバネ付き蝶番８の平板面１０ａの先端部が、隣接側面板受け部材１６の切り欠き部１９に確実に達するよう、隣接側面板受け部材１６の隣接側面板受け部１８に付けた切り欠き部１９の大きさを調整する必要がある。
【００２３】
なお、側面板１ｂは側面板１ａと上記構造に接続し、さらにその下部を例えば図４のb図のように固定すれば側面板１ａとの接続端側は上部も固定されることになる。このようにして側面板をつぎつぎと接続していけば、エスカレータの側面板取り付け作業は完成する。すなわち、エスカレータ設置現場における従来のような側面板の上部固定作業はほとんどないと言ってよい。なお、本発明を実施する際の側面板固定部材の具体的な構造および形状等は、本発明の目的を達成できる範囲内で変更してもよい。
【実施例】
【００２４】
（実施例１）
図１に示すような本発明の側面板固定部材を作成した。片方の平板面が縦２０ｍｍ、横４０ｍｍすなわち両平板面を１８０度に開いた状態で縦４０ｍｍ、横４０ｍｍとなる板厚１．２ｍｍの市販のステンレス製バネ付き蝶番の片方の平板面にコの字形ステンレス板を溶接で取り付けた。コの字形ステンレス板は縦約２５ｍｍ、横４０ｍｍ、足の部分の高さ８ｍｍ、板厚１．２ｍｍである。コの字形ステンレス板の足の部分のうち蝶番の先端部に付いている部分はほぼ９０度に折れ曲がっており、中心部に近い方に付いている足の部分は内側の角度が約１５０度となっており、コの字形ステンレス板の断面図は外側に開いたコの字形をしている。この側面板固定部材をエスカレータのトラスの上部ビームと側面板の間隙にバネの圧勢力が作用するように挟み込めば側面板はエスカレータに固定される。なお、この間隙は、通常２５ｍｍ程度なので蝶番はおよそ４５度開いた状態となっている。
【００２５】
（実施例２）
図１０で示すような側面板１ａの隣接側面板受け部材１６の立上り部１７および隣接側面板受け部１８に切欠き部１９を設けた。切欠き部１９は立上り部１７および隣接側面板受け部１８に対してそれぞれ長方形となっている。切欠き部１９は側面板１ａがおよそ上部ビームに面する位置に設置する。すなわち、側面板上端から５０ｍｍの位置から２００ｍｍの位置までを切欠き部とする。また、隣接側面板受け部材１６の立上り部１７は立上り方向に３ｍｍを残して切り欠く。隣接側面板受け部材１６の隣接側面板受け部１８は先端部８ｍｍを残して切り欠く。このような隣接側面板受け部材１６を設けた側面板１ａに、実施例１で作成したバネ付き蝶番８の先端部を図８に示すように挟み込んだ。側面板上端からのバネ付き蝶番８の距離は対応する上部ビームに面するように調整する。このようにして、側面板固定部材を設置した側面板が出来上がる。これをエスカレータ設置現場で取り付けていけばエスカレータは完成する。
【産業上の利用可能性】
【００２６】
本発明の移動搬送装置の側面板固定部材は、エスカレータ等の移動搬送装置設置における好適な部材として利用できる。また、本発明の移動搬送装置の側面板固定部材を設置した側面板およびトラスについても同じように移動搬送装置設置における好適な部材として利用できる。
【図面の簡単な説明】
【００２７】
【図１】図１は、本発明の側面板固定部材の例であるバネ付き蝶番の概略図である。
【図２】図２は、移動搬送装置の側面を示す一部切欠き説明図である。
【図３】図３は、他の移動搬送装置の例を示す概略図である。
【図４】図４は、側面板が従来技術によりトラスの側方部に配置され、支持された状態の断面図である。ａは側面板上部を、ｂは側面板下部を示す図である。
【図５】図５は、側面板上部が従来技術によりトラスの上部ビームに支持された状態を示す断面図である。
【図６】図６は、本発明の側面板固定部材により側面板上部がトラスの上部ビームに支持された状態を示す断面図である。
【図７】図７は、移動搬送装置設置の側面板取り付け作業中の説明用断面図である。
【図８】図８は、図７の状態の側面板に本発明の側面板固定部材を設置した状態の説明用断面図である。
【図９】図９は、図８の状態から２枚の側面板を接続した状態の説明用断面図である。
【図１０】図１０は、移動搬送装置設置の側面板取り付け作業中の説明用斜視図である。
【図１１】図１１は、本発明の側面板固定部材であるバネ付き蝶番の例の断面図である。
【図１２】図１２は、の側面板固定部材の例の説明図である。
【符号の説明】
【００２８】
１    側面板
１ａ    側面板
１ｂ    側面板
２    底面板
３    トラス
３ａ  上部ビーム
３ｂ  下部ビーム
４    スカートガード
５    デッキ
５ａ  インナーデッキ
５ｂ  アウターデッキ
６    内側板
７    手すり
８    バネ付き蝶番
９    バネ付き蝶番８のバネ
１０ａ    バネ付き蝶番８の平板面
１０ｂ    バネ付き蝶番８のコの字形面
１１    バネ付き蝶番８の中心軸部
１２    バネ付き蝶番８のコの字形面１０ｂの先端部
１３    デッキ５の側面板側のＬ字形先端部
１４    側面板１ａのコの字形端部の先端部
１５    側面板１ｂのＺ形端部の先端部
１６    隣接側面板受け部材
１７    隣接側面板受け部材１６の立上り部
１８    隣接側面板受け部材１６の隣接側面板受け部
１９    隣接側面板受け部材１６の切欠き部
２１    従来の側面板固定部材
２２    側面板取り付け部材
２３    蝶ネジ
２５    従来の側面板固定部材
３１    コの字形固定部材
３２    側面板取り付け部材
３３    コの字形固定部材３１の取り付け部材
３４    ボルト
３５    ボルト
３６    底面板取り付け部材
３７    ボルト
ａ    側面板上部がデッキに支持されている状態を示す図
ｂ    側面板下部および底面板がトラスの下部ビームに支持されている状態を示す図
ｃ    本発明の側面板固定部材であるバネ付き蝶番の例
ｄ    本発明の側面板固定部材であるバネ付き蝶番の例
ｅ    本発明の側面板固定部材であるバネ付き蝶番の例
ｆ    本発明の側面板固定部材であるバネ付き蝶番の例
ｇ    本発明の側面板固定部材であるバネ付き蝶番の例
ｈ    本発明の側面板固定部材の例
ｉ    本発明の側面板固定部材の例
ｊ    本発明の側面板固定部材の例
ｋ    本発明の側面板固定部材の例
ｌ    本発明の側面板固定部材の例
ｍ    本発明の側面板固定部材の例
ｎ    本発明の側面板固定部材の例
ｏ    本発明の側面板固定部材の例
【図１】
2005335839.tif 000003
【図２】
2005335839.tif 000004
【図３】
2005335839.tif 000005
【図４】
2005335839.tif 000006
【図５】
2005335839.tif 000007
【図６】
2005335839.tif 000008
【図７】
2005335839.tif 000009
【図８】
2005335839.tif 000010
【図９】
2005335839.tif 000011
【図１０】
2005335839.tif 000012
【図１１】
2005335839.tif 000013
【図１２】
2005335839.tif 000014